(57)【要約】【課題】  Ｔシャツ等のような薄手の物品を収納しても崩れず、収納される物品のサイズに見合ったものとすることができる。【解決手段】  正面部200 に正面側谷折り部210 が形成され、２つの側面部400 に下向きＹ字状の側面側谷折り部410 が形成され、正面側谷折り部210 から正面部200 を谷折りし、側面側谷折り部410 を谷折りすると、正面部200 が底面部100 と背面部300 との間で内側に折り畳まれ、背面部300 の縁部のうち開口側になる上縁部310 と、正面部200 の縁部のうち開口側になる上縁部220 とに把手520 を設け、折り畳んだ際に、底面部100 と背面部300 との間で内側に折り畳まれた正面部200 を折り畳まれた状態に保持する正面側保持手段600 を正面部200 の上縁部220 の近傍と下縁部230 の近傍との間に設ける。【選択図】      図１
2010006443.tif 000002
【特許請求の範囲】
【請求項１】
矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、前記正面部の縁部のうち開口側になる上縁部とに把手を設けた包装用袋体において、折り畳んだ際に、底面部と背面部との間で内側に折り畳まれた正面部を折り畳まれた状態に保持する正面側保持手段が正面部の上縁部近傍と下縁部近傍との間に設けられていることを特徴とする包装用袋体。
【請求項２】
矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、前記正面部の縁部のうち開口側になる上縁部との少なくともいずれか一方に把手を設けた包装用袋体において、折り畳んだ際に、底面部と背面部との間で内側に折り畳まれた正面部を折り畳まれた状態に保持する正面側保持手段が正面部の上縁部と下縁部との間に設けられ、折り畳まれた側面部を保持する側面側保持部が側面部の正面部近傍と背面部近傍との間に設けられていることを特徴とする包装用袋体。
【請求項３】
矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部に把手を設けた包装用袋体において、折り畳んだ際に、底面部と背面部との間で内側に折り畳まれた正面部を折り畳まれた状態に保持するスリット型保持手段が正面部の上縁部近傍と下縁部近傍との間に設けられており、前記スリット型保持手段は、正面部の上縁部に設けられた上側スリット部と、正面部の下縁部に設けられた下側スリット部とからなり、折り畳んだ状態で前記把手が上側スリット部と下側スリット部とをくぐり抜けることで、正面部が底面部と背面部との間で内側に折り畳まれた状態を保持することを特徴とする包装用袋体。
【請求項４】
矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、前記正面部の縁部のうち開口側になる上縁部との少なくともいずれか一方に把手を設けた包装用袋体において、折り畳んだ際に、底面部と背面部との間で内側に折り畳まれた正面部を折り畳まれた状態に保持する背底面側保持手段が背面部と底面部との間に設けられていることを特徴とする包装用袋体。
【請求項５】
前記請求項５記載の背底面側保持手段が、側面部と背面部との間の境目と、底面部の一辺であって、折り畳んだ状態で前記境目と隣接する一辺との間に設けられたスライドファスナーであることを特徴とする包装用袋体。
【請求項６】
矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、前記正面部の縁部のうち開口側になる上縁部との少なくともいずれた一方に把手を設けた包装用袋体において、折り畳んだ際に、底面部と背面部との間で内側に折り畳まれた正面部を折り畳まれた状態に保持する正底面側保持手段が正面部と底面部との間に設けられていることを特徴とする包装用袋体。
【請求項７】
前記請求項６記載の正底面側保持手段は、正面部と底面部とに共通する一辺に沿って開設された開口と、この開口と前記一辺との間をつなぐ切込とから構成され、折り畳んだ状態で把手を切込から開口に押し込んで使用することを特徴とする包装用袋体。
【請求項８】
前記請求項７記載の切込は、正面部と底面部とに共通する一辺に対して斜めに形成されていることを特徴とする包装用袋体。
【発明の詳細な説明】
【技術分野】
【０００１】
本発明は、例えばハンカチやＴシャツ等の薄手の物品を包装する包装用袋体に関する。
【背景技術】
【０００２】
一般的な包装用袋体は、図１２に示すように、矩形状の底面部７００と、この底面部７００の４辺から立ち上げられた正面部７１０、背面部７２０及び一対の側面部７３０とを有している。そして、正面部７１０と背面部７２０とには、把手７１１、７２１となる開口部が設けられている。また、開口部の代わりに紐等からなる把手が設けられていることも多い。
かかる包装用袋体に、ハンカチやＴシャツ等の薄手の物品を収納する場合は、図１２に矢印Ｚに示すように、縦方向に入れる。また、底面部が大きいものであれば、物品を底面部に平らに置くようにする。
【０００３】
【特許文献１】特開２００７−４５４５９
【発明の開示】
【発明が解決しようとする課題】
【０００４】
しかしながら、この種の一般的な包装用袋体にハンカチやＴシャツ等のような薄手の物品を縦方向に入れると、薄手の物品は自重によって崩れ落ちてしまい、しわの原因となる。
底面部が大きな包装用袋体であれば、物品を底面部に平らに置くようにするので、薄手の物品が自重によって崩れ落ちるこことはないが、収納される物品のサイズに比較してかなり大きな包装用袋体を使用しなければならない。
【０００５】
本発明は、上記事情に鑑みて創案されたもので、ハンカチやＴシャツ等のような薄手の物品を収納しても崩れることがなく、しかも収納される物品のサイズに見合ったものとすることができる包装用袋体を提供することを目的としている。
【課題を解決するための手段】
【０００６】
本発明に係る包装用袋体は、矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、前記正面部の縁部のうち開口側になる上縁部とに把手を設けた包装用袋体において、折り畳んだ際に、底面部と背面部との間で内側に折り畳まれた正面部を折り畳まれた状態に保持する正面側保持手段が正面部の上縁部近傍と下縁部近傍との間に設けられている。
【０００７】
また、本発明に係る他の包装用袋体は、矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、前記正面部の縁部のうち開口側になる上縁部との少なくともいずれか一方に把手を設けた包装用袋体において、折り畳んだ際に、底面部と背面部との間で内側に折り畳まれた正面部を折り畳まれた状態に保持する正面側保持手段が正面部の上縁部と下縁部との間に設けられ、折り畳まれた側面部を保持する側面側保持部が側面部の正面部近傍と背面部近傍との間に設けられている。
【０００８】
また、本発明に係るさらに他の包装用袋体は、矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部に把手を設けた包装用袋体において、折り畳んだ際に、底面部と背面部との間で内側に折り畳まれた正面部を折り畳まれた状態に保持するスリット型保持手段が正面部の上縁部近傍と下縁部近傍との間に設けられており、前記スリット型保持手段は、正面部の上縁部に設けられた上側スリット部と、正面部の下縁部に設けられた下側スリット部とからなり、折り畳んだ状態で前記把手が上側スリット部と下側スリット部とをくぐり抜けることで、正面部が底面部と背面部との間で内側に折り畳まれた状態を保持するようになっている。
【０００９】
さらに、本発明に係る他の包装用袋体は、矩形状の底面部と、この底面部の４辺から立ち上げられた正面部、背面部及び一対の側面部とを有する包装用袋体であって、前記正面部にはその正面部が立ち上がる底面部の一辺と平行な正面側谷折り部が形成され、前記正面部及び背面部と対向しない２つの側面部には下向きＹ字状の側面側谷折り部が形成されており、前記側面側谷折り部は、側面部の上縁部の中央部から垂下される垂下線と、この垂下線の終端から正面部と側面部と底面部との頂点及び背面部と側面部と底面部との頂点とに向かって伸びる２つの斜行線とを有しており、前記垂下線の終端は底面部からの寸法が、前記正面側谷折り部の底面部からの寸法と同等に設定されており、前記正面側谷折り部から正面部を谷折りすると同時に、前記側面側谷折り部を谷折りすると、正面部が底面部と背面部との間で内側に折り畳まれ、前記背面部の縁部のうち開口側になる上縁部と、前記正面部の縁部のうち開口側になる上縁部との少なくともいずれか一方に把手を設けた包装用袋体において、折り畳んだ際に、底面部と背面部との間で内側に折り畳まれた正面部を折り畳まれた状態に保持する背底面側保持手段が背面部と底面部との間に設けられている。
【発明の効果】
【００１０】
本発明に係る包装用袋体は、折り畳むと、底面部に平らに置かれて収納されたＴシャツ等の薄手の物品は、折り畳まれた正面部と背面部によって上側から抑え込まれて挟み込まれるため、従来の包装用袋体のように、自重によって崩れ落ちることがない。よって、物品にしわがよらない。
また、しかも収納される物品のサイズに見合ったものとすることができる。
【発明を実施するための最良の形態】
【００１１】
図１は本発明の第１の実施の形態に係る包装用袋体を開いた状態の概略的斜視図、図２は本発明の第１の実施の形態に係る包装用袋体をほぼ折り畳んだ状態の概略的斜視図、図３は本発明の第１の実施の形態に係る包装用袋体を折り畳む途中の概略的斜視図、図４は本発明の第１の実施の形態に係る包装用袋体の使用状態を示す概略的斜視図、図５は本発明の第２の実施の形態に係る包装用袋体を開いた状態の概略的斜視図、図６は本発明の第３の実施の形態に係る包装用袋体を開いた状態の概略的斜視図、図７は本発明の第３の実施の形態に係る包装用袋体を閉じた状態の概略的側面図、図８は本発明の第４の実施の形態に係る包装用袋体を閉じた状態の概略的側面図、図９は本発明の第４の実施の形態に係る包装用袋体（変形バージョン）を閉じた状態の概略的側面図、図１０は本発明の第４の実施の形態に係る包装用袋体（さらなる変形バージョン）を閉じた状態の概略的斜視図、図１１は本発明の第５の実施の形態に係る包装用袋体の概略的をほぼ折り畳んだ状態の概略的斜視図である。
【００１２】
本発明の第１の実施の形態に係る包装用袋体Ａは、矩形状の底面部１００と、この底面部１００の４辺から立ち上げられた正面部２００、背面部３００及び一対の側面部４００とを有する包装用袋体であって、前記正面部２００にはその正面部２００が立ち上がる底面部１００の一辺Ｌ１と平行な正面側谷折り部２１０が形成され、前記正面部２００及び背面部３００と対向しない２つの側面部４００には下向きＹ字状の側面側谷折り部４１０が形成されており、前記側面側谷折り部４１０は、側面部４００の上縁部４２０の中央部から垂下される垂下線４１１と、この垂下線４１１の終端から正面部２００と側面部４００と底面部１００との頂点Ｐ１及び背面部３００と側面部４００と底面部１００との頂点Ｐ２とに向かって伸びる２つの斜行線４１２とを有しており、前記垂下線４１１の終端は底面部１００からの寸法Ｈ２が、前記正面側谷折り部２１０の底面部１００からの寸法Ｈ１と同等に設定されており、前記正面側谷折り部２１０から正面部２００を谷折りすると同時に、前記側面側谷折り部４１０を谷折りすると、正面部２００が底面部１００と背面部３００との間で内側に折り畳まれ、前記背面部３００の縁部のうち開口側になる上縁部３１０と、前記正面部２００の縁部のうち開口側になる上縁部２２０とに把手５２０を設けた包装用袋体において、折り畳んだ際に、底面部１００と背面部３００との間で内側に折り畳まれた正面部２００を折り畳まれた状態に保持する正面側保持手段６００が正面部２００の上縁部２２０の近傍と下縁部２３０（正面部２００と底面部１００とに共通する一辺Ｌ１）の近傍との間に設けられている。
【００１３】
まず、この包装用袋体Ａは、紙や布や薄い剛性樹脂製フィルムから構成されている。なお、本明細書中おいて、谷折りとは折り目が凹となる方向に折り込むことを意味し、山折りとは折り目が凸となる方向に折り込むことを意味する。
【００１４】
この包装用袋体Ａの底面部１００は、例えば、収納すべき物品がＴシャツである場合、折り畳んだＴシャツと平面視サイズと同等の大きさを有する長方形状に設定されている。すなわち、この底面部１００に折り畳んだＴシャツを平らに置くことができるようにするためである。
【００１５】
底面部１００の４辺のうち、一対の長辺からは正面部２００と背面部３００とがそれぞれ立ち上げられ、一対の短辺からは一対の側面部４００がそれぞれ立ち上げられている。もちろん、正面部２００の両側部の辺は側面部４００の一方の辺と、背面部の両側部の辺は側面部４００の他方の辺と共通になっている。
【００１６】
すなわち、この包装用袋体Ａは、有底の四角筒形状に形成されているのある。
【００１７】
まず、正面部２００には、略中央部に底面部１００と共通する一辺Ｌ１と平行な正面側谷折り部２１０が設けられている。正面部２００は、この正面側谷折り部２１０において谷折りとすることができるのである。
【００１８】
また、一対の側面部４００には、下向きＹ字状の側面側谷折り部４１０が設けられている。この側面側谷折り部４１０は、側面部４００の上縁部４２０の中央部から下方に向かった垂下線４１１と、この垂下線４１１の下端から側面部４００の下端側の角部に向かう一対の斜行線４１２とから構成されるのである。前記下端側の角部は、正面部２００側では、正面部２００と側面部４００と底面部１００との頂点Ｐ１に、背面部３００側では、背面部３００と側面部４００と底面部１００との頂点Ｐ２にそれぞれ相当する。
【００１９】
もちろん、この側面側谷折り部４１０を構成する垂下線４１１と斜行線４１２とによって、側面部４００は谷折りとすることができるのである。
【００２０】
なお、前記垂下線４１１の終端と底面部１００との間の寸法Ｈ２と、前記正面側谷折り部２１０と底面部１００との間の寸法Ｈ１とは等しく設定されている。
【００２１】
一方、前記背面部３００と正面部２００とには、紐からなる把手５１０、５２０が設けられている。
背面部３００の把手５１０は、包装用袋体Ａを折り畳んだ際に、背面部３００の縁部のうち開口側になる上縁部３１０に設けられている。
また、正面部２００側の把手５２０は、包装用袋体Ａを折り畳んだ際に、前記上縁部３１０に隣接する縁部、すなわち正面部２００の上縁部２２０に設けられている。
【００２２】
さらに、正面部２００の上縁部２２０の近傍と、正面部２００の下縁部２３０の近傍には面ファスナーからなる正面側保持手段６００が設けられている。この正面側保持手段６００は、底面部１００と背面部３００との間で内側に折り畳まれた正面部２００を折り畳まれた状態に保持するものである。すなわち、この正面側保持手段６００は、正面部２００の上縁部２２０の近傍に設けられた上側面ファスナー６０１と、正面部２００の下縁部２３０の近傍に設けられた下側面ファスナー６０２とからなり、上側面ファスナー６０１、下側ファスナー６０２は、正面部２００を折り畳むと重なる位置に設けられている。
【００２３】
次に、このように構成された包装用袋体Ａを用いてＴシャツを収納する際の折り畳み方について説明する。
まず、図１に示すような状態、すなわち包装用袋体Ａを開いた状態とし、底面部１００に折り畳んだＴシャツを平らに置く。
次に、図３に示すように、正面部２００の正面側谷折り部２１０と、側面部４００の側面側谷折り部４１０とに沿って正面部２００と側面部４００とを谷折りする。
すると、正面部２００と底面部１００とに共通する一辺Ｌ１は山折りとなり、背面部３００と底面部１００とに共通する一辺Ｌ２も山折りとなり、側面部４００と底面部１００とに共通する一辺Ｌ３も山折りとなる。
【００２４】
正面部２００を完全に折り畳む、すなわち図２に示すように、上側から背面部３００、側面側谷折り部４１０で折り畳まれた側面部４００、正面側谷折り部２１０で折り畳まれた正面部２００、底面部１００の順に積み重なった状態となる。この状態では、収納されたＴシャツ等の物品は、図２において右半分は折り畳まれた正面部２００によって上側から抑え込まれ、左半分は背面部３００によって上側から抑え込まれることになる。
【００２５】
この状態になると、正面側保持手段６００を構成する２つの面ファスナー６０１、６０２が重なって接合されるため、正面部２００は折り畳まれた状態を保持することができるのである。
【００２６】
このような状態でＴシャツ等の薄手の物品を収納した包装用袋体Ａは、図４に示すような状態、すなわち把手５１０、５２０を上向きにした状態で持ち運ばれる。この状態では、上述したように、収納されたＴシャツ等の物品は、縦方向にはなるが、正面部２００と背面部３００とによって挟み込まれるため、従来の包装用袋体のように、自重によって崩れ落ちることがない。よって、物品にしわがよらない。
【００２７】
なお、上述した第１の実施の形態では、正面側保持手段６００は、上側面ファスナー６０１と下側面ファスナー６０２とから構成されるとしたが，他の手段、例えば、スナップボタン（点ファスナー）の雄雌、通常のボタンとボタンホール等の他の手段であってもよいことはいうまでもない。
【００２８】
次に、本発明の第２の実施の形態に係る包装用袋体Ｂを図５を参照しつつ説明する。
この第２の実施の形態に係る包装用袋体Ｂが上述した包装用袋体Ａと相違する点は、前記正面側保持手段６００の他に、折り畳まれた側面部４００を保持する側面側保持部６１０が設けられている点である。
【００２９】
この側面側保持手段６１０は、図５に示すように、側面部４００の正面部近傍と背面部近傍とに設けられた正面部側面ファスナー６１１と、背面部側面ファスナー６１２とから構成されている。正面部側面ファスナー６１１、背面部側面ファスナー６１２は、側面部４００を折り畳むと重なる位置に設けられている。もちろん、左右両側の側面４００に一組ずつ設けられている。
【００３０】
かかる包装用袋体Ｂは、側面部４００に側面側保持手段６１０が設けられている以外は、上述した包装用袋体Ａと同一である。従って、Ｔシャツを収納する際の折り畳み方もほぼ同様である。異なる点は、側面部４００を折り畳む際に、側面側保持手段６１０の正面部側面ファスナー６１１と背面部側面ファスナー６１２が重なって接合する点のみである。
【００３１】
この包装用袋体Ｂは、このように正面側保持手段６００のみならず、側面側保持手段６１０によっても、折り畳んだ状態を保持するため、折り畳んだ状態をより強固に保持することが可能になっている。
【００３２】
なお、この包装用袋体Ｂでは、側面側保持手段６１０のみを接合させると、側面視略三角形状に形作られる。嵩張る物品を収納する場合には、このように側面側保持手段６１０のみを接合させることで、収納した物品を外から見えないように収納することが可能になる。
【００３３】
なお、上述した第２の実施形態に係る包装用袋体Ｂでは、背面部３００の上縁部３１０に設けられた把手５１０と，正面部２００の上縁部２２０に設けられた把手５２０との二つの把手５１０、５２０を有するとしたが、いずれか一方の把手のみでもよい。
【００３４】
また、上述した第２の実施の形態では、側面側保持手段６１０は、正面部側面ファスナー６１１と背面部側面ファスナー６１２とから他の手段、例えば、スナップボタン（点ファスナー）の雄型と雌型、通常のボタンとボタンホール等の他の手段であってもよいことはいうまでもない。
【００３５】
正面側保持手段６００と側面側保持手段６１０という２つの保持手段で折り畳んだ状態を保持するため、背面部３００の把手５１０と正面部２００の把手５２０との２つの把手がなくても、一方の把手さえあれば、折り畳んだ状態をしっかりと保持できるためである。
【００３６】
次に、本発明の第３の実施の形態に係る包装用袋体Ｂを図６を参照しつつ説明する。
第３の実施の形態に係る包装用袋体Ｃにおける把手としては、背面部３００の上縁部３１０に設けられた把手５１０のみである。
そして、この包装用袋体Ｃには、把手５１０を利用したスリット型保持手段６３０が設けられている。
【００３７】
スリット型保持手段６３０は、図６に示すように、正面部２００の上縁部２２０に設けられ、上縁部２２０との間にスリット６３１Ｃを形成する上側ループ片６３１と、正面部２００の下縁部２３０に設けられ、下縁部２３０との間にスリット６３２Ｃを形成する下側ループ片６３２とから構成されている。
【００３８】
他の基本的構成は、包装用袋体Ａと同様である。ただし、包装用袋体Ｃでは、正面側保持手段６１０に相当するものがスリット型保持手段６３０であるので、正面側保持手段６１０は存在しない。
【００３９】
Ｔシャツ等を収納して折り畳む場合には、正面部２００を正面側谷折り部２１０から谷折りするとともに、側面部４００の側面側谷折り部４１０を谷折りして、背面部３００の上縁部３１０と正面部２００の上縁部２２０と底面部１００と正面部２００との境目である一辺Ｌ１（正面部２００の下縁部２３０に等しい）とを隣接させる。すると、把手５１０と上側ループ片６３１と下側ループ片６３２とが隣接する。この状態で、把手５１０を上側ループ片６３１のスリット６３１Ｃと下側ループ片６３２のスリット６３２Ｃとをくぐり抜けさせると、折り畳まれた状態を保持するようになる（図７参照）。
【００４０】
なお、上述した第３の実施の形態に係る包装用袋体Ｃでは、スリット型保持手段６３０は上側ループ片６３１と下側ループ片６３２とから構成したが、正面部２００の上側に上側スリットを、正面部２００の下側及び底面部１００の一辺Ｌ１側に下側スリットを開設したものであってもよい。また、上側スリットと下側スリットとのいずれか一方をループ片とすることも可能である。
【００４１】
次に、本発明の第４の実施の形態に係る包装用袋体Ｄを図８を参照しつつ説明する。
この第４の実施の形態に係る包装用袋体Ｄでは、包装用袋体Ｄを折り畳んだ状態に保持する保持手段が、背面部３００と底面部１００との間に設けられた背底面保持手段６４０であることが特徴的部分である。
【００４２】
背底面保持手段６４０は、背面部３００の一対の上縁隅部に設けられたフラップ片６４１と、底面部１００の一対の正面側隅部に設けられたループ片６４２とから構成されている。この背底面保持手段６４０は、包装用袋体Ｄを折り畳んだ状態で隣接するような位置に設けられている。
【００４３】
前記フラップ片６４１は舌片状部材であって、折り畳まれた包装用袋体Ｄの底面部１００側まで回り込める長さに設定されている。一方、ループ片６４２は、フラップ片６４１がくぐり抜けられる程度の大きさに設定されている。
【００４４】
包装用袋体Ｄを折り畳んだ状態で、フラップ片６４１をループ片６４２にくぐり抜けさせることにより、包装用袋体Ｄは折り畳まれた状態を保持する。
【００４５】
なお、フラップ片６４１とループ片６４２との位置関係を逆とすることも可能である。すなわち、背面部３００にループ片６４２を、底面部１００にフラップ片６４１をそれぞれ設けることも可能である。
【００４６】
また、この包装用袋体Ｄの変形バージョン（包装用袋体Ｄ’）としては、図９に示すような背底面保持手段６４０を上側に設けたものも可能である。すなわち、フラップ片６４１を背面部３００の上縁部３１０に、ループ片６４２を底面部１００の一辺Ｌ１の近傍にそれぞれ設けるのである。このタイプであると、フラップ片６４１は、包装用袋体Ｄの開口を横切る形になるので、通常のかばんに近い外観を構成することも可能である。
なお、このタイプでフラップ片６４１とループ片６４２との位置関係を逆とすることも可能である。
【００４７】
さらに、この第４の実施の形態に係る包装用袋体Ｄ（包装用袋体Ｄ’）では、把手５１０と把手５２０との２つの把手を設けたが、いずれか一方のみを設けるとしてもよい。
【００４８】
また、この包装用袋体Ｄのさらなる変形バージョンとして、図１０に示す包装用袋体Ｄ”もある。この包装用袋体Ｄ”は、側面部４００と背面部３００との間の境目Ｌ４と、底面部１００の一辺であって、折り畳んだ状態で前記境目Ｌ４と隣接する一辺Ｌ３との間に設けられたスライドファスナーをもって背底面保持手段６４０”とするのである。
【００４９】
この背底面保持手段６４０”は、エレメントと称される歯を複数個一定間隔で並べたテープ６４５を前記境目Ｌ４と前記一辺Ｌ３とに沿って取り付け、このテープ６４５をスライダ６４６で開閉するように構成されているのである。
【００５０】
折り畳み際には前記スライドファスナーである背底面保持手段６４０”を閉じ、拡げる際には前記スライドファスナーである背底面保持手段６４０”を拡げるのである。このタイプのものであると、きわめて容易に折り畳み及び拡げることができる。
【００５１】
次に、本発明の第５の実施の形態に係る包装用袋体Ｅを図１１を参照しつつ説明する。
この第５の実施の形態に係る包装用袋体Ｅでは、包装用袋体Ｄを折り畳んだ状態に保持する保持手段が、正面部２００と底面部１００との間に設けられた正底面保持手段６５０であることが特徴的部分である。
【００５２】
この正底面側保持手段６５０は、折り畳むと、把手５２０と重なる位置に設けられており、正面部２００と底面部１００とに共通する一辺Ｌ１に沿って開設された２つの開口６５１と、この開口６５１と前記一辺Ｌ１との間をつなぐ２つの切込６５２とから構成されている。特に、切込６５２は、正面部２００と底面部１００とに共通する一辺Ｌ１に対して斜めに形成されている。
【００５３】
折り畳まれた包装用袋体Ｅの把手５２０を切込６５２を介して開口６５１に押し込む。すると、把手５２０は、開口６５１内に位置することで正面部２００の折り畳まれた状態を保持する。
【００５４】
なお、上述したものでは、把手５１０、５２０はを背面部３００の上縁部３１０、正面部２００の上縁部２２０に沿った位置に取り付けるものとしたが、その位置に開口を開設したうえで挿通させるタイプのものであれば、この開口は、前記開口６５１と同一工程で開設することができる。すなわち、全体を折り畳んだ状態で一気にパンチすることで開設可能である。
【００５５】
上述した包装用袋体Ａ〜Ｄ（包装用袋体Ｄ’、Ｄ”）、Ｅでは、例えば、Ｔシャツ等の薄手の物品を収納するものとして説明したが、スーパーマーケット備え付けの買い物かごに被せて使用するいわゆるエコバックして使用することも可能である。
【００５６】
この場合には、不使用時には折り畳んでおき、使用時（買い物収納時）には前記買い物かごに被せ、持ち帰り時には前記買い物かごから取り外して使用するのである。
【図面の簡単な説明】
【００５７】
【図１】本発明の第１の実施の形態に係る包装用袋体を開いた状態の概略的斜視図である。
【図２】本発明の第１の実施の形態に係る包装用袋体をほぼ折り畳んだ状態の概略的斜視図である。
【図３】本発明の第１の実施の形態に係る包装用袋体を折り畳む途中の概略的斜視図である。
【図４】本発明の第１の実施の形態に係る包装用袋体の使用状態を示す概略的斜視図である。
【図５】本発明の第２の実施の形態に係る包装用袋体を開いた状態の概略的斜視図である。
【図６】本発明の第３の実施の形態に係る包装用袋体を開いた状態の概略的斜視図である。
【図７】本発明の第３の実施の形態に係る包装用袋体を閉じた状態の概略的側面図である。
【図８】本発明の第４の実施の形態に係る包装用袋体を閉じた状態の概略的側面図である。
【図９】本発明の第４の実施の形態に係る包装用袋体（変形バージョン）を閉じた状態の概略的側面図である。
【図１０】本発明の第４の実施の形態に係る包装用袋体（さらなる変形バージョン）を閉じた状態の概略的斜視図である。
【図１１】本発明の第５の実施の形態に係る包装用袋体の概略的をほぼ折り畳んだ状態の概略的斜視図である。
【図１２】従来の一般的な包装用袋体の概略的斜視図である。
【符号の説明】
【００５８】
１００    底面部
２００    正面部
２１０    正面側谷折り線
３００    背面部
４００    側面部
４１０    側面側谷折り部
４１１    垂下線
４１２    斜行線
【図１】
2010006443.tif 000003
【図２】
2010006443.tif 000004
【図３】
2010006443.tif 000005
【図４】
2010006443.tif 000006
【図５】
2010006443.tif 000007
【図６】
2010006443.tif 000008
【図７】
2010006443.tif 000009
【図８】
2010006443.tif 000010
【図９】
2010006443.tif 000011
【図１０】
2010006443.tif 000012
【図１１】
2010006443.tif 000013
【図１２】
2010006443.tif 000014